(57)【特許請求の範囲】
【請求項１】
第１及び第２の記録媒体の間で相互に記録再生を行う記録再生装置であって、
上記第１の記録媒体からＤＶ（degital video）規格の画像信号であるＤＶデータを読み出す第１の読み出し手段と、
上記第２の記録媒体から画像信号を読み出す第２の読み出し手段と、
上記第１の読み出し手段にて読み出されたＤＶデータ又は上記第２の読み出し手段にて読み出された画像信号に対してそれぞれ所定のデジタルインターフェースに適合させる変換処理を施す変換手段と、
上記所定のデジタルインターフェースの規格に基づくコネクタを介して上記ＤＶデータ又は上記画像信号の送受信を行う送受信手段と、
上記変換手段にて変換された上記第２の読み出し手段からの画像信号を上記第１の記録媒体に対して書き込む第１の書き込み手段と、
上記変換手段にて変換された上記第１の読み出し手段からのＤＶデータを上記第２の記録媒体に対して書き込む第２の書き込み手段と、
上記第１及び第２の記録媒体の間での画像信号の記録／再生を制御する制御手段と、
上記第１の記録媒体から読み出された情報からインデックス情報を検出する識別情報検出手段とを有し、
上記第２の書き込み手段は、上記第１の記録媒体と同じＤＶフォーマットで上記第１の読み出し手段からのＤＶデータを上記第２の記録媒体に対して書き込み、
上記制御手段は、上記第１の記録媒体から上記識別情報検出手段にて読み出されたインデックス情報に基づいて、上記ＤＶデータが静止画像である場合は、該ＤＶデータの再生を一時停止し、上記第１の読み出し手段にて該ＤＶデータを一括して読み出してこの読み出したＤＶデータを上記第２の書き込み手段にて上記第２の記録媒体に一括して書き込み、上記ＤＶデータが動画像である場合は、該ＤＶデータの再生を継続して上記第１の読み出し手段にて該ＤＶデータを一括して読み出し、この読み出したＤＶデータを上記第２の書き込み手段にて上記第２の記録媒体に一括して書き込む際に、上記第２の記録媒体の容量が満ちたときには、上記第２の書き込み手段による上記第２の記録媒体への書き込みを中断し、上記第２の記録媒体の容量が満ちたことを報知するように制御する記録再生装置。
【請求項２】
上記第２の記録媒体に記録された情報は、フレーム情報又はタイトル情報である請求項１記載の記録再生装置。
【請求項３】
上記変換手段は、上記第１の記録媒体から上記第１の読み出し手段にて読み出したＤＶデータを、ＰＣＭＣＩＡのＩ／Ｏ又はＰＣＭＣＩＡのＡＴＡインターフェースに適合するように変換し、この変換した画像信号を上記第２の書き込み手段に与える請求項１記載の記録再生装置。
【請求項４】
上記制御手段は、上記第１の記録媒体から上記第１の読み出し手段及び上記第２の書き込み手段を介して上記第２の記録媒体にＤＶデータを記録する際に、該ＤＶデータを上記第１の記録媒体に記録されたインデックス情報を用いて一括に転送する第１のモードと、該ＤＶデータを一枚毎に転送する第２のモードとをメニューキーにて切り換え、上記第１又は第２のモードの転送は、上記第１の記録媒体に対する撮像信号の記録を操作するためのフォト釦で操作される請求項１記載の記録再生装置。
【請求項５】
第１及び第２の記録媒体に対し、これらの第１及び第２の記録媒体の間で相互に記録再生を行う記録再生方法であって、
上記第１の記録媒体からＤＶ（degital video）規格の画像信号であるＤＶデータを読み出す第１の読み出し工程と、
上記第２の記録媒体から画像信号を読み出す第２の読み出し工程と、
上記第１の読み出し工程にて読み出されたＤＶデータ又は上記第２の読み出し工程にて読み出された画像信号に対してそれぞれ所定のデジタルインターフェースに適合させる変換処理を施す変換工程と、
上記所定のデジタルインターフェースの規格に基づくコネクタを介して上記ＤＶデータ又は上記画像信号の送受信を行う送受信工程と、
上記変換工程にて変換された上記第２の読み出し工程からの画像信号を上記第１の記録媒体に対して書き込む第１の書き込み工程と、
上記変換工程にて変換された上記第１の読み出し工程からのＤＶデータを上記第２の記録媒体に対して書き込む第２の書き込み工程と、
上記第１及び第２の記録媒体の間での画像信号の記録／再生を制御する制御工程と、
上記第１の記録媒体から読み出された情報からインデックス情報を検出する識別情報検出工程とを有し、
上記第２の書き込み工程では、上記第１の記録媒体と同じＤＶフォーマットで上記第１の読み出し工程からのＤＶデータを上記第２の記録媒体に対して書き込み、
上記制御工程は、上記第１の記録媒体から上記識別情報検出工程で読み出されたインデックス情報に基づいて、上記ＤＶデータが静止画像である場合は、該ＤＶデータの再生を一時停止し、上記第１の読み出し工程で該ＤＶデータを一括して読み出してこの読み出したＤＶデータを上記第２の書き込み工程で上記第２の記録媒体に一括して書き込み、上記ＤＶデータが動画像である場合は、該ＤＶデータの再生を継続して上記第１の読み出し工程で該ＤＶデータを一括して読み出し、この読み出したＤＶデータを上記第２の書き込み工程で上記第２の記録媒体に一括して書き込む際に、上記第２の記録媒体の容量が満ちたときには、上記第２の書き込み工程での上記第２の記録媒体への書き込みを中断し、上記第２の記録媒体の容量が満ちたことを報知するように制御する記録再生方法。
【発明の詳細な説明】
【技術分野】
【０００１】
本発明は、第１及び第２の記録媒体を有し、これら第１及び第２の記録媒体の間で相互に記録再生を行う記録再生装置に関する。
【背景技術】
【０００２】
従来、ビデオカセットレコーダ（video cassette recorder; ＶＣＲ）やカメラ一体型のビデオテープレコーダ（video tape recorder; ＶＴＲ）、いわゆるカムコーダからの画像をパーソナルコンピュータ（personal computer;ＰＣ）に取り込んだり、取り込んだ画像を編集したりすることが広く行われている。
【０００３】
このような画像の取り込みには、ＰＣにビデオ画像を取得する専用の基板であるビデオキャプチャボードを挿入したり外部で接続したりして、そのビデオキャプチャボードに対応するソフトウエアをインストールすることにより行っていた。 ここで、タイトルを画像内に挿入するいわゆるタイトラー機能を有するＶＣＲやカムコーダが提供されている。タイトラーを利用することにより、ビデオ画像に所望のタイトルを書き込むことができる。
【０００４】
一方、画像をフロッピーディスク（floppy disk;ＦＤ登録商標）等に直接記録する装置も提供されている。この装置によると、画像信号を直接にディスク等に記録することができる。
【発明の開示】
【発明が解決しようとする課題】
【０００５】
ところで、現状のＶＣＲ／カムコーダ等の画像記録装置の情報をＰＣ等の映してみたり、編集したりするためには、キャプチャボードをＰＣに挿入したり、外部接続したりし、かつ専用のソフトウエアをインストールするという手間をかけないとできなかった。さらにキャプチャボードは、コスト的にも高価であった。
【０００６】
また、アナログのキャプチャボードの場合、いわゆるデジタルビデオ（degital video;ＤＶ）規格のビデオ信号を取り扱うには、デジタル化されたデータを１度アナログに変換しなければならないので、画像の質が劣化してしまうという問題点があった。
【０００７】
そして、タイトラー等の機能を備える装置においても、キーボードではなくメニューキー等で入力する複雑な入力操作部を用いるために、また、内蔵のソフトウエアが必ずしも十分でないために、タイトル画像の柔軟な加工は困難であった。
【０００８】
本発明は、上述の課題に鑑みてなされるものであって、画像データの取得の際の負担を軽減し、タイトル画像の柔軟な加工を可能にし、十分な時間に亘る情報の記録を可能にし、画像を一括ダウンロードすることができ、ＦＤのフル情報を表示するような記録再生装置及び方法を提供することを目的とする。
【課題を解決するための手段】
【０００９】
上述の課題を解決するために、本発明に係る記録再生装置は、第１及び第２の記録媒体の間で相互に記録再生を行う記録再生装置であって、上記第１の記録媒体からＤＶ（degital video）規格の画像信号であるＤＶデータを読み出す第１の読み出し手段と、上記第２の記録媒体から画像信号を読み出す第２の読み出し手段と、上記第１の読み出し手段にて読み出されたＤＶデータ又は上記第２の読み出し手段にて読み出された画像信号に対してそれぞれ所定のデジタルインターフェースに適合させる変換処理を施す変換手段と、上記所定のデジタルインターフェースの規格に基づくコネクタを介して上記ＤＶデータ又は上記画像信号の送受信を行う送受信手段と、上記変換手段にて変換された上記第２の読み出し手段からの画像信号を上記第１の記録媒体に対して書き込む第１の書き込み手段と、上記変換手段にて変換された上記第１の読み出し手段からのＤＶデータを上記第２の記録媒体に対して書き込む第２の書き込み手段と、上記第１及び第２の記録媒体の間での画像信号の記録／再生を制御する制御手段と、上記第１の記録媒体から読み出された情報からインデックス情報を検出する識別情報検出手段とを有し、上記第２の書き込み手段は、上記第１の記録媒体と同じＤＶフォーマットで上記第１の読み出し手段からのＤＶデータを上記第２の記録媒体に対して書き込み、上記制御手段は、上記第１の記録媒体から上記識別情報検出手段にて読み出されたインデックス情報に基づいて、上記ＤＶデータが静止画像である場合は、該ＤＶデータの再生を一時停止し、上記第１の読み出し手段にて該ＤＶデータを一括して読み出してこの読み出したＤＶデータを上記第２の書き込み手段にて上記第２の記録媒体に一括して書き込み、上記ＤＶデータが動画像である場合は、該ＤＶデータの再生を継続して上記第１の読み出し手段にて該ＤＶデータを一括して読み出し、この読み出したＤＶデータを上記第２の書き込み手段にて上記第２の記録媒体に一括して書き込む際に、上記第２の記録媒体の容量が満ちたときには、上記第２の書き込み手段による上記第２の記録媒体への書き込みを中断し、上記第２の記録媒体の容量が満ちたことを報知するように制御する。
【００１０】
本発明に係る記録再生方法は、第１及び第２の記録媒体に対し、これらの第１及び第２の記録媒体の間で相互に記録再生を行う記録再生方法であって、上記第１の記録媒体からＤＶ（degital video）規格の画像信号であるＤＶデータを読み出す第１の読み出し工程と、上記第２の記録媒体から画像信号を読み出す第２の読み出し工程と、上記第１の読み出し工程にて読み出されたＤＶデータ又は上記第２の読み出し工程にて読み出された画像信号に対してそれぞれ所定のデジタルインターフェースに適合させる変換処理を施す変換工程と、上記所定のデジタルインターフェースの規格に基づくコネクタを介して上記ＤＶデータ又は上記画像信号の送受信を行う送受信工程と、上記変換工程にて変換された上記第２の読み出し工程からの画像信号を上記第１の記録媒体に対して書き込む第１の書き込み工程と、上記変換工程にて変換された上記第１の読み出し工程からのＤＶデータを上記第２の記録媒体に対して書き込む第２の書き込み工程と、上記第１及び第２の記録媒体の間での画像信号の記録／再生を制御する制御工程と、上記第１の記録媒体から読み出された情報からインデックス情報を検出する識別情報検出工程とを有し、上記第２の書き込み工程では、上記第１の記録媒体と同じＤＶフォーマットで上記第１の読み出し工程からのＤＶデータを上記第２の記録媒体に対して書き込み、上記制御工程は、上記第１の記録媒体から上記識別情報検出工程で読み出されたインデックス情報に基づいて、上記ＤＶデータが静止画像である場合は、該ＤＶデータの再生を一時停止し、上記第１の読み出し工程で該ＤＶデータを一括して読み出してこの読み出したＤＶデータを上記第２の書き込み工程で上記第２の記録媒体に一括して書き込み、上記ＤＶデータが動画像である場合は、該ＤＶデータの再生を継続して上記第１の読み出し工程で該ＤＶデータを一括して読み出し、この読み出したＤＶデータを上記第２の書き込み工程で上記第２の記録媒体に一括して書き込む際に、上記第２の記録媒体の容量が満ちたときには、上記第２の書き込み工程での上記第２の記録媒体への書き込みを中断し、上記第２の記録媒体の容量が満ちたことを報知するように制御する。
【発明の効果】
【００１２】
上述のように、本発明は、テープやディスク等の画像等のデータをフロッピーディスクに簡単にダウンロードすることで、ＰＣ側に高価な特別の装置を付加すること無しに簡単にＰＣに画像等のデータを映すことができる。さらに外付けフロッピーディスクアダプタはキャプチャボードより安価である。
【００１３】
また、本発明は、ＰＣＡＣＩＡ等の汎用インターフェースとＪＰＥＧ等の汎用圧縮を用いることにより、特別なソフトウエアをＰＣにダウンロードすること無しに、ＰＣに画像等のデータを移すことができる。
【００１４】
さらに、本発明は、デジタルでフロッピーディスクに画像等をダウンロードするために画像劣化がない。
【００１５】
そして、本発明は、ＰＣ等で作成したタイトル・フレーム等のデータをフロッピーディスクを通して簡単にテープディスク等の記録媒体に重ねて記録できる。さらにまた、画像等のデータと共にテープ・ディスクとに記録されたインデックスデータを検出して自動的に画像データをフロッピーディスクにダウンロードができる。
【００１６】
そして、フロッピーディスクダウンロード時のフロッピーの空き領域の処理・フル（Full）の場合の処理、一括ダウンロード時のテープ等の遷移を含めた処理、表示を含めた処理等のトータル制御と簡単なヒューマンインターフェースを実現することができる。
【００１７】
また、本発明に係る撮像装置では、撮像手段により得られる撮像信号を第１の記録媒体に第１の記録手段により記録し、また、撮像手段により得られる撮像信号を静止画として第２の記録媒体に第２の記録手段により記録することができる。
【発明を実施するための最良の形態】
【００１８】
以下、本発明の実施の形態について、図面を参照して詳細に説明する。本実施の形態として、カメラ一体型のビデオテープレコーダ（video tape recorder; ＶＴＲ）いわゆるカムコーダについて説明する。なお、本発明を明確にするために、以下の実施の形態では、本発明に関係の薄いカメラなどの光学部分を省略し、専ら回路部分について述べることにする。
【００１９】
本発明を適用したカムコーダは、図１に示すように、図示しないカメラから入力する信号に対する処理を行うカメラ信号処理回路１と、外部から入力されるラインイン（line in ）に対する処理を行うラインイン信号処理回路２と、カメラ信号処理回路１及びラインイン信号処理回路２からの信号に対するインターフェース及び画像混合処理を行うＩ／Ｆ・画像ＭＩＸ回路３とを有している。
【００２０】
カメラ信号処理回路１は、図示しないカメラから入力される画像信号に対して、所定の信号処理を施す。ラインイン信号処理回路２は、ラインインされる信号に対して所定の処理を施す。
【００２１】
Ｉ／Ｆ・画像ＭＩＸ回路３は、上記カメラ信号処理回路１及びラインイン信号処理回路２から入力される信号に対するインターフェース処理を行う。また、このＩ／Ｆ・画像ＭＩＸ回路は、他の回路から供給される画像との混合を行う。
【００２２】
また、このカムコーダは、ＤＶ記録再生信号処理回路４と、情報信号の表示を行う表示装置７と、情報信号を記録する磁気テープ等の記録媒体５とを有している。
【００２３】
ＤＶ記録再生信号処理回路４は、いわゆるデジタルビデオ（degital video;ＤＶ）規格の情報信号に対する記録再生に関する信号処理を行う。
【００２４】
表示装置７は、ＤＶ記録再生信号処理回路４から与えられた情報信号を表示するものである。この表示装置７としては、例えは液晶ディスプレイ（liquid crystal display;ＬＣＤ）を利用することができる。
【００２５】
記録媒体５は、ＤＶ記録再生信号処理回路４からの情報信号が記録され、逆にＤＶ記録再生信号処理回路４にて記録された情報信号が読み出される媒体である。この記録媒体５としては、例えばテープ状の媒体に情報信号が残留磁化として記録される磁気テープを利用することができる。
【００２６】
さらに、このカムコーダは、ＪＰＥＧ（joint photographic expert group ）／Ｍｏｔｉｏｎ ＪＰＥＧ圧縮伸長回路１０と、ＰＣＭＣＩＡ Ｉ／Ｏ（personal computer memory card international association input/output ）／ＡＴＡ Ｉ／Ｆ（AT attachment interface）処理回路１１と、ＰＣＭＣＩＡコネクタ１２とを有している。
【００２７】
ここで、ＰＣＭＣＩＡ規格とは、ＰＣＭＣＩＡにより規定されたいわゆるＰＣカードのインターフェースの規格である。また、ＡＴとはいわゆるＰＣ／ＡＴ互換機のプロセッサとハードディスクドライブとを接続するための規格である。
【００２８】
ＪＰＥＧ／Ｍｏｔｉｏｎ ＪＰＥＧ圧縮伸長回路１０は、ＪＰＥＧ規格の静止画又はＭｏｔｉｏｎ ＪＰＥＧ規格の動画像の符号化画像を画像信号に伸長したり、静止画あるいは動画像の画像信号を上記規格の符号化画像に圧縮する回路である。このＪＰＥＧ／Ｍｏｔｉｏｎ ＪＰＥＧ圧縮伸長回路１０は、Ｉ／Ｆ処理・画像ＭＩＸ回路３又はＰＣＭＣＩＡ Ｉ／Ｏ／ＡＴＡ Ｉ／Ｆ処理回路１１からの画像信号又は符号化画像に対して上記処理を行う。
【００２９】
ＰＣＭＣＩＡ Ｉ／Ｏ／ＡＴＡ Ｉ／Ｆ１１は、ＪＰＥＧ／Ｍｏｔｉｏｎ ＪＰＥＧ圧縮伸長回路１０と、外付けフロッピーディスク（floppy disk;ＦＤ）ドライブのとの間のインターフェースを行う回路である。具体的には、ＰＣＭＣＩＡＩ／Ｏ／ＡＴＡ Ｉ／Ｆ１１においては、外付けＦＤドライブへの接続には、ＰＣＭＣＩＡ Ｉ／Ｏ規格又はＡＴＡ Ｉ／Ｆ規格が用いられるので、上記規格に対応するような変換処理等が行われる。
【００３０】
ＰＣＭＣＩＡコネクタ１２は、外付けＦＤドライブのＰＣＭＣＩＡ規格のコネクタに対応するＰＣＭＣＩＡ規格のコネクタである。
【００３１】
そして、このカムコーダは、入力操作が行われる操作キーブロック８と、この記録再生装置の各部に対する制御を行う制御回路９とを有している。
【００３２】
操作キーブロック８は、このカムコーダに対する入力操作がなされる部分であり、例えば、メニューダイアル、フォトスイッチ、モード切替えスイッチにより構成される。
【００３３】
制御回路９は、この記録再生装置の各部に対する制御を行う回路である。この制御回路には、例えば、ＣＰＵ、ＲＡＭ及びＲＯＭ等から構成されるいわゆるマイクロコントローラが利用される。
【００３４】
このカムコーダには、ＰＣＭＣＩＡカードコネクタ１３と、ＦＤドライブ制御マイコン１４と、ＦＤドライブ装置１５とからなる外付けＦＤドライブが接続される。
【００３５】
ＰＣＭＣＩＡカードコネクタ１３は、ＰＣＭＣＩＡ規格のカードコネクタである。ＦＤドライブ制御回路１４は、ＦＤドライブ装置１５へのデータ転送、駆動等の制御を行う制御回路である。このＦＤドライブ制御回路１４は、例えばいわゆるマイクロコントローラを用いて構成される。
【００３６】
ＦＤドライブ装置１５は、フロッピーディスクを回転駆動してＦＤの記録トラックに沿ってデータの書き込み及び読み出しを行う装置である。
【００３７】
このような記録再生装置において、カメラ信号処理回路１、ラインイン信号処理回路２、Ｉ／Ｆ処理・画像ＭＩＸ回路３、ＤＶ記録再生信号処理４、記録媒体５、表示装置７、操作キーブロック８、制御回路９、ＪＰＥＧ／ＭｏｔｉｏｎＪＰＥＧ圧縮伸長回路１０、ＰＣＭＣＩＡ Ｉ／Ｏ／ＡＴＡ Ｉ／Ｆ処理回路１１及びＰＣＭＣＩＡコネクタ１２がＤＶカムコーダ部分に相当する。
【００３８】
そして、上述のように、ＰＣＭＣＩＡカードコネクタ１３、ＦＤドライブ制御回路１４及びＦＤドライブ装置１５が外付けＦＤドライブ装置である。
【００３９】
この実施の形態では、カムコーダ部分と外付けＦＤドライブはＰＣＭＣＩＡ規格のＩ／Ｆでつながっており、本体側のＰＣＭＣＩＡコネクタ１２と外付けＦＤのＰＣＭＣＩＡカードコネクタ１２で接続される。
【００４０】
もちろん、このＦＤドライブ装置がＤＶカムコーダに含まれたシステムも考えられる。
【００４１】
ＰＣＭＣＩＡのＩ／Ｆを用いて外付けＦＤドライブのＦＤドライブ制御回路１４と通信してＦＤドライブ装置１５を動作させデータを入出力する場合、ＰＣＭＣＩＡのＩ／Ｆの仕様は、次のとおりとなる。すなわち、表１〜表４の左半分は、カード挿入において常に利用可能なメモリオンリーカードインターフェースであるＡＴＡ Ｉ／Ｆのピン配列を示している。また、表１〜表４の右半分は、カードとソケットとがコンフィグレーションされた後のみ利用可能なＩ／Ｏ・メモリカードインターフェースであるＩ／Ｏインターフェースのピン配列を示している。このように、メモリオンリーカードインターフェースとＩ／Ｏ・メモリカードインターフェースではピンの使用状態が異なっている。
【００４２】
なお、これらの表では、”Ｉ”は信号がカードへの入力であることを示し、”Ｏ”はカードからの出力であることを示している。
【００４３】
【表１】
0004453723.tif 000002
【００４４】
【表２】
0004453723.tif 000003
【００４５】
【表３】
0004453723.tif 000004
【００４６】
【表４】
0004453723.tif 000005
【００４７】
これらＡＴＡ Ｉ／ＦとＩ／Ｏ Ｉ／Ｆとの差分はコントロール線の本数の差であり、ＦＤ制御回路と本体側の制御回路９の制御仕様の差だけであり、どちらのＩ／Ｆでも動作可能である。しかし、ＡＴＡ Ｉ／Ｆの方がハード的な接地線が少ないため本体側の制御回路９及び外付けＦＤドライブのＦＤドライブ制御回路１４の制御は複雑になる。
【００４８】
続いて、記録再生装置の信号の流れに沿って全体のシステムを説明する。
【００４９】
カメラ信号処理回路１はカメラ処理信号、ラインイン信号処理回路２はライン入力の信号処理を行う。Ｉ／Ｆ処理・画像ＭＩＸ回路３は、カメラ信号処理回路１及びラインイン信号処理回路２からの信号に対するインターフェース処理及び画像混合処理を行う。ＤＶ記録再生信号処理回路４は、記録媒体５に対する記録再生の処理と、ＪＰＥＧ／Ｍｏｔｉｏｎ ＪＰＥＧ圧縮伸長回路１０からＦＤドライブ装置１５におけるＦＤに記録再生する処理を行う。具体的には、ＤＶ記録再生信号処理回路４の処理として、相互にデータをやりとりしたり、信号に混合等の処理を施してテープやＤＦに記録したりする。
【００５０】
通常、テープにカメラやラインインの信号を記録する場合にはＤＶ記録再生信号処理回路４でＤＶ信号処理が行われた信号を記録媒体５に記録する。またカメラやラインインの信号をＦＤに記録する場合は、ＪＰＥＧ／Ｍｏｔｉｏｎ ＪＰＥＧ／Ｍｏｔｉｏｎ ＪＰＥＧ圧縮伸長回路１０の圧縮処理において、静止画ならＪＰＥＧ、動画ならＭｏｔｉｏｎ ＪＰＥＧで圧縮し、ＰＣＭＣＩＡ Ｉ／Ｏ／ＡＴＡ Ｉ／Ｆ回路１１のＰＣＭＣＩＡ Ｉ／Ｏ又はＡＴＡ信号処理のインターフェース処理を行う。そして、ＰＣＭＣＩＡコネクタ１２のＰＣＭＣＩＡの出力コネクタとＰＣＭＣＩＡカードコネクタ１３を通して外部のＦＤドライブにデータを送り、制御回路９と外付けＦＤドライブのＦＤドライブ制御回路１４とハンドシェークをしつつＦＤに記録する。
【００５１】
次に記録媒体５のテープ等の記録媒体に記録された画像等をフロッピーディスクにダウンロードする時の信号の流れを説明する。
【００５２】
記録媒体５のテープ等の記録媒体に記録されたデータは、操作キーブロック８のキー動作と制御回路９の制御に従ってＦＤに記録される。この制御については、後にフローチャートを用いて説明する。
【００５３】
記録媒体５から再生された信号は、ＤＶ記録再生信号処理回路４でＤＶ再生信号処理が施され、ＮＴＳＣ又はＰＡＬのテレビジョン信号に復元される。そして、Ｉ／Ｆ処理・画像ＭＩＸ処理回路３のインターフェース処理でパーソナルコンピュータ（personal computer;ＰＣ）のＶＧＡ（video graphics array）等の規格に基づいて変換される。
【００５４】
もちろんここで、カメラやラインインの信号と再生信号を混合してＪＰＥＧ／Ｍｏｔｉｏｎ ＪＰＥＧ圧縮伸長回路１０でＪＰＥＧ圧縮を施すことも可能である。この画像信号はＪＰＥＧ／Ｍｏｔｉｏｎ ＪＰＥＧ圧縮伸長回路１０で圧縮され、ＰＣＭＣＩＡコネクタ１２とＰＣＭＣＩＡカードコネクタ１３を通して外付けＦＤドライブとに送られる。すなわち、制御回路９と外付けＦＤドライブ側のＦＤドライブ制御回路１４とハンドシェークしつつ、ＦＤドライブ装置１５によりＦＤに記録する。
【００５５】
次にＰＣ等で加工したタイトルやフレームや編集画像などをテープに記録する場合を信号の流れに沿って説明する。
【００５６】
ＦＤドライブ装置１５に差し込まれたＦＤは、制御回路９と外付けＦＤドライブのＦＤドライブ制御回路１４で制御される。すなわち、これらの制御の下に、ＰＣＭＣＩＡカードコネクタ１４及びＰＣＭＣＩＡコネクタ１２を介して、ＰＣＭＣＩＡ Ｉ／Ｏ／ＡＴＡ Ｉ／Ｆ処理回路１１やＪＰＥＧ／Ｍｏｔｉｏｎ ＪＰＥＧ圧縮伸長回路１１に信号が送られ、Ｉ／Ｆ処理・画像ＭＩＸ回路３で、カメラ信号処理回路１やラインイン信号処理回路２からの信号と混合される。そして、ＤＶ信号記録再生信号処理回路４により処理された後、テープ等の記録媒体５に記録される。
【００５７】
表示装置７には、テープ等の記録媒体５とＦＤの間で相互にダウンロードを行う場合やカメラ、ライン等の信号を記録する場合に、モニター画像が表示される。そして、これらの作業の進捗状態を視覚的に表示する。
【００５８】
次に、本発明の実施の形態における他の構成例として、テープ等の記録媒体と同じＤＶ圧縮フォーマットでＦＤに記録する構成を説明する。なお、簡単のために、この他の構成例において、図１の構成と同一の部分については、同一の符号を付してその詳細な説明を省略する。
【００５９】
この場合には、図２に示すように、テープ等の記録媒体５と同じＤＶ圧縮フォーマットでＦＤに記録するために、図１におけるＪＰＥＧ／Ｍｏｔｉｏｎ ＪＰＥＧ圧縮伸長回路１０は備えられていない。
【００６０】
また、図１におけるＩ／Ｆ処理・画像ＭＩＸ回路３及びＤＶ記録再生信号処理回路４は併合されてＩ／Ｆ処理・画像ＭＩＸ・ＤＶ記録再生信号処理回路２３となっている。
【００６１】
ここでは、Ｉ／Ｆ処理・画像ＭＩＸ・ＤＶ記録再生信号処理回路２３とＰＣＭＣＩＡ Ｉ／Ｏ／ＡＴＡ Ｉ／Ｆ処理回路１１との間では直接にデータが送受される。
【００６２】
次に、テープ等の記録媒体５のデータを一括ダウンロードする場合の処理について説明する。一括ダウンロードをする際のメニューとフォトボタン等の兼用についてはこのフローチャートで説明する。
【００６３】
先ず、ＤＶフォーマット上のインデックス情報について説明する。
【００６４】
ＤＶフォーマットでは、図３の記録トラックパターン上でのＴ１のサブコードの部分に各種のインデックスを打ち込むことが可能である。
【００６５】
ここで、図３に示す記録トラックパターンは、ヘッド走行方向にＩＴＩ（insert and track information）、ＡＵＤＩＯ、ＶＩＤＥＯ、ＳＵＢＣＯＤＥの各セクタが記録される。ＩＴＩにはＡＵＤＩＯ、ＶＩＤＥＯ、ＳＵＢＣＯＤＥをアフターレコーディングするためのクロック精度の基準信号が入っている。各セクタ間には、アフターレコーディングにおいて、各セクタの信号がずれにより損なわれないようにギャップＧ１〜Ｇ３が設けられている。ギャップＧ１〜Ｇ３はＩＴＩより離れるほど大きく設定してジッターやテープのスキューの影響を少なくしている。
【００６６】
さらに図３の記録トラックパターン上の中央のビデオエリアをデータ的に分解したもの図４である。この図４のＶｉｄｅｏ Ａｕｘｉｌｉａｒｙ ｄａｔａ部分には静止画のフォトインデックスが静止画記録時に自動的に打ち込まれる。
【００６７】
ここで、Ｖｉｄｅｏ Ａｕｘｉｌｉａｒｙ ｄａｔａ部分は、シンクブロック番号１９，２０，１５６のシンクブロックにある。
【００６８】
このインデックス情報を検出してＦＤにダウンロードする場合の処理を図５のフローチャートを用いて説明する。
【００６９】
まずステップＳ１で操作キーモードスイッチをＶＴＲ再生モードにする。ステップＳ２でメニューキーでＦＤ記録モードを選び、ステップＳ３で一括ダウンロードか１枚記録かを選択する。このとき、表示装置７には図６のようなメニュー画面が表示される。
【００７０】
すなわち、表示装置７においては、“メニュー”の項目として“ＦＤダウンロード”が選択され、さらに下位の項目として“１枚記録”又は“一括ダウンロード”が選択可能な項目として表示されている。
【００７１】
ステップＳ３で１枚記録を選んだ場合はステップＳ４で操作キーのＶＴＲ ＰＢ（play back）キーを押しＶＴＲを再生する。そしてダウンロードしたい画像でステップＳ５の再生ポーズをし、ステップＳ６のフォトボタンで記録をするのだが、このボタンは一括ダウンロード時も兼用する。
【００７２】
そして、フォトボタンを押圧した後にステップＳ７の制御を行うマイクロコントローラ等とハンドシェイクを行い、ＦＤカードコネクタがささっているか、ＦＤが差し込まれているか、ＦＤに空き領域があるかを判断し、ＮＯならステップＳ９のＮＧ表示を行う。このＮＧ表示は表示装置７で見ると、例えば図７のような画面となる。
【００７３】
図７においては、上記ＮＧ表示の一例として、表示画面の中央に“ＦＤがいっぱいです。取り替えて下さい。”なるメッセージが表示されている。
【００７４】
もしステップＳ７の判断でＯＫなら操作キーブロック８でＦＤに画像を１枚記録する。
【００７５】
次に、一括ダウンロードの場合であるが、ステップＳ３のメニューで一括ダウンロードを選択した後、兼用のフォトボタンをステップＳ１０の処理で押圧し、ステップＳ１１でステップＳ７と同じハンドシェイクをＦＤを制御するマイクロコントローラ等と行う。もしここでＮＯなら、ステップＳ９と同じようにステップＳ１２でＮＧ表示の処理を行う。
【００７６】
ステップＳ１１のハンドシェイクでＯＫなら、ステップＳ１５のフォトインデックス検出でフォトインデックスや動画等のインデックス検出を行う。ステップＳ１６で静止画なら再生ポーズ、動画ならそのまま流し、ステップＳ１７でＦＤに記録する。この一連の操作をＦＤが一杯になるまで、又はテープエンドになるまで行う。すなわち、ステップＳ１３のテープエンド検出、ステップＳ１５のフォトインデックス検出の判断に戻り、何度でも記録を行う。
【００７７】
なお、記録媒体に記録された内容をＦＤにダウンロードする際の操作の開始（スタート）を入力する操作は、フォト記録ボタンの操作と兼用することができる。
【００７８】
以上説明した本発明の実施の形態では、テープ及びディスクとの媒体に動画を記録するカムコーダにＰＣＭＣＩＡ Ｉ／Ｆを用いて、フロッピーディスクに静止画及び動画を相互にダウンロード／アップロードできるようにしたが、本発明に係る記録再生装置は、基本的に第１及び第２の記録媒体を介して情報の記録再生を行うことができるものであって、撮像手段により生成された撮像信号を第１の記録媒体を介して記録再生し、また、上記撮像手段により生成された撮像信号を静止画像として第２の記録媒体を介して記録再生することができる。
【００７９】
次に、本発明を適用して第１及び第２の記録媒体を介して情報の記録再生を行うようにしたカムコーダの具体例について説明する。
【００８０】
図８に示すカムコーダ１００は、撮像部１０１と又はラインイン信号処理回路１０２から画像信号が供給されるＩ／Ｆ処理・画像ＭＩＸ回路１０３、このＩ／Ｆ処理・画像ＭＩＸ回路１０３にＤＶ記録再生信号処理回路１０４を介して接続された記録再生部１０５及び表示部１０６、上記Ｉ／Ｆ処理・画像ＭＩＸ回路１０３に圧縮伸長回路１０７を介して接続されたＩ／Ｆ処理回路１０８、上記Ｉ／Ｆ処理回路１０８にＰＣＭＣＩＡ（personal computer memory card international association ）コネクタ１０９を介して着脱自在に接続されたＰＣＭＣＩＡメモリカード１１０、これらを制御する制御部１１１、この制御部１１１に接続された操作ブロック１１２等からなる。
【００８１】
上記撮像部１０１は、その概略構成を図９に示してあるように、撮像レンズ１２１から絞り１２２を介して入射される撮像光が撮像光が入射されるＣＣＤイメージセンサ１２３を備え、このＣＣＤイメージセンサ１２３により撮像出力として得られる撮像信号がカメラ信号処理回路１２４を介して出力されるようになっている。
【００８２】
上記絞り１２２は、カメラ制御用マイクロコンピュータ１２５から絞り制御信号が与えられる絞り駆動回路１２６に接続された絞り駆動部１２７によって駆動されるようになっている。
【００８３】
また、上記ＣＣＤイメージセンサ１２３は、センサーゲート信号や転送クロックなどの各種タイミング信号がタイミング信号発生器１２８から与えられることにより駆動されるようになっている。
【００８４】
上記カメラ信号処理回路２４及びタイミング信号発生器１２８は、上記カメラ制御用マイクロコンピュータ１２５から与えられる制御信号によって動作モードが切り換えられるようになっている。
【００８５】
上記ＣＣＤイメージセンサ１２３は、その構造を図１０に模式的に示してあるように、画素に対応してマトリクス上に配設された各フォトセンサＳと、各フォトセンサＳにより得られる各画素の撮像電荷が読み出される垂直転送レジスタＶＲと、各画素の撮像電荷が上記垂直転送レジスタＶＲを介して水平ライン毎に転送されてくる水平転送レジスタＨＲを備え、各画素の撮像電荷が上記水平転送レジスタＨＲから水平ライン毎に出力部ＳＯを介して撮像信号として出力されるようになっている。このＣＣＤイメージセンサ１２３は、原理的に全画素読み出しのＣＣＤイメージャであって、上記垂直転送レジスタＶＲが水平ラインにおける画素数に等しい本数設けられているとともに、各垂直転送レジスタＶＲはそれぞれ垂直ラインにおける全画素数に等しい転送段数を有する。
【００８６】
そして、上記タイミング信号発生器１２８は、上記カメラ制御用マイクロコンピュータ１２５から与えられる制御信号によって全画素読み出しモードが設定されると、図１１に示すように、２フィード（２Ｖ）すなわち１フレーム周期（１Ｆ）のセンサゲート信号ＳＧと、１水平走査周期（１Ｈ）の垂直転送クロックＣＫＶと、水平ラインにおける画素数に対応する周波数の水平転送クロックＣＫＨを生成して、上記ＣＣＤイメージセンサ１２３を全画素読み出しモードで駆動する。
【００８７】
すなわち、全画素読み出しモードでは、上記ＣＣＤイメージセンサ１２３の各フォトセンサＳにより得られる各画素の撮像電荷をセンサゲート信号ＳＧによって垂直転送レジスタＶＲに２フィードすなわち１フレーム期間（１Ｆ）毎に読み出し、上記垂直転送レジスタＶＲに読み出した全画素の撮像電荷を１水平走査期間（１Ｈ）毎に１水平ラインずつ水平転送レジスタＨＲに転送して、各画素の撮像電荷を上記水平転送レジスタＨＲから水平ライン毎に出力部ＳＯを介して撮像信号として出力することにより、全画素の撮像電荷によるプログレススキャン信号として撮像信号を得ることができる。
【００８８】
また、上記タイミング信号発生器１２８は、上記カメラ制御用マイクロコンピュータ１２５から与えられる制御信号によってインタレース読み出しモードが設定されると、図１２に示すように、１フィード周期（１Ｖ）のセンサゲート信号ＳＧと、１水平走査期間（１Ｈ）毎に２発連続した垂直転送クロックＣＫＶと、水平ラインにおける画素数に対応する周波数の水平転送クロックＣＫＨを生成して、上記ＣＣＤイメージセンサ１２３をインターレース読み出しモードで駆動する。
【００８９】
すなわち、インターレース読み出しモードでは、上記ＣＣＤイメージセンサ１２３の各フォトセンサＳにより得られる各画素の撮像電荷をセンサゲート信号ＳＧによって垂直転送レジスタＶＲに１フィード期間（１Ｖ）毎に読み出し、上記垂直転送レジスタＶＲに読み出した全画素の撮像電荷を１水平走査期間（１Ｈ）毎に２水平ラインずつ水平転送レジスタＨＲに転送して、垂直ライン上で隣接する２画素分の電荷を上記水平転送レジスタＨＲにおいて加算合成することにより、水平ライン数を１／２に減少させた各画素の撮像電荷を上記水平転送レジスタＨＲから水平ライン毎に出力部ＳＯを介して撮像信号として出力することにより、全画素の撮像電荷からインターレース信号として撮像信号を得ることができる。なお、上記水平転送レジスタＨＲにおいて加算合成する垂直ライン上で隣接する２画素分の電荷の組合せは、奇数フィールドと偶数フィールドで異ならしめるようにする。
【００９０】
そして、このカムコーダ１００において、上記Ｉ／Ｆ処理・画像ＭＩＸ回路１０３は、上記撮像部１０１及びラインイン信号処理回路１０２から入力される信号に対するインターフェース処理を行うとともに、各信号の混合を行う。また、上記ＤＶ記録再生信号処理回路１０４は、いわゆるデジタルビデオ（degital videl;ＤＶ）規格の情報信号に対する記録再生に関する信号処理を行う。さらに、上記記録再生部１０５は、ＤＶ記録再生信号処理回路１０４からの情報信号を記録媒体に記録し、また、上記記録媒体から情報信号を再生して上記ＤＶ記録再生信号処理回路４に供給する。上記磁気記録媒体としては、例えばテープ上の媒体に情報信号が残留磁化として記録される磁気テープが用いられる。
【００９１】
また、上記表示部１０６は、上記ＤＶ記録再生信号処理回路１０４を介して記録再生される情報信号を表示するものである。
【００９２】
また、上記圧縮伸長回路１０７は、ＪＰＥＧ（joint photographic expert group）規格の静止画又はＭｏｔｉｏｎ ＪＰＥＧ規格の動画像の符号化画像を画像信号に伸長したり、静止画あるいは動画像の画像信号を上記規格の符号化画像に圧縮する回路である。この圧縮伸長回路１０７は、Ｉ／Ｆ処理・画像ＭＩＸ回路１０３又はＰＣＭＣＩＡ Ｉ／Ｏ／ＡＴＡ Ｉ／Ｆ処理回路１０８からの画像信号又は符号化画像に対して上記処理を行う。
【００９３】
さらに、ＰＣＭＣＩＡ Ｉ／Ｏ／ＡＴＡ Ｉ／Ｆ回路１０８は、圧縮伸長回路１０７とＰＣＭＣＩＡメモリカード１１０の間のインターフェースを行う回路である。また、ＰＣＭＣＩＡコネクタ１１２は、ＰＣＭＣＩＡ規格のコネクタである。
【００９４】
そして、このカムコーダ１００は、図１３にカメラ本体１００Ａの外観斜視図を示してあるように、上記表示部６として電子ビューファインダ６Ａ及び液晶表示パネル６Ｂが上記カメラ本体１００Ａに設けられているとともに、上記操作ブロック１２として、ズーム操作レバー１１２Ａ、動作モード切換レバー１１２Ｂ、静止画撮影用操作ボタン１１２Ｃ、コントロールダイヤル１１２Ｄ、メニューボタン１１２Ｅやデータコードボタン１１２Ｆ等の各種設定操作ボタンが上記カメラ本体１０１に配設されている。
【００９５】
上記ズーム操作レバー１１２Ａは、その操作位置に応じたズーム操作入力データを上記制御部１１１に与える。そして、上記制御部１１１は、上述の撮像部１の撮像レンズ１２１のズーム駆動部を上記ズーム操作入力データに応じて制御する。
【００９６】
また、上記動作モード切換レバー１１２Ｂは、図１４に示すように、
ポジション１：ＶＴＲ
ポジション２：オフ
ポジション３：ＣＡＭ
ポジション４：メモリ
の４つの切換設定ポジションを有しており、各ポジションに対応した操作入力データを上記制御部１１１に与える。また、上記静止画撮影用操作ボタン１１２Ｃは、２段階で押圧され、１段階目の押圧ポジションと２段階目の押圧ポジションに対応した操作入力データを上記制御部１１１に与える。そして、上記制御部１１１は、上述の撮像部１０１、Ｉ／Ｆ処理・画像ＭＩＸ回路１０３、ＤＶ記録再生信号処理回路１０４、記録再生部１０５、圧縮伸長回路１０７やＩ／Ｆ処理回路１０８等を上記操作入力データに応じて次のように制御する。
【００９７】
ここで、上記動作モード切換レバー１１２Ｂによる動作モードの設定状態と上記静止画撮影用操作ボタン１１２Ｃの押圧操作による静止画の記録モードの関係を次の表５に示す。
【００９８】
【表５】
0004453723.tif 000006
【００９９】
すなわち、このカムコーダ１００において、上記制御部１１１は、上記動作モード切換レバー１１２Ｂが上記ポジション１にあるときに、このカムコーダ１００をＶＴＲモードに設定する。ＶＴＲモードにおいて、上記制御部１１１は、図示しないＶＴＲ操作ボタンの操作入力を受け付けて、その操作入力に応じて上記記録再生部１０５の制御を行い、例えば再生ボタン操作されれば上記記録再生部１０５による再生を開始する。
【０１００】
また、上記制御部１１１は、上記動作モード切換レバー１１２Ｂが上記ポジション２にあるときに、このカムコーダ１００を動作停止状態にする。
【０１０１】
また、上記制御部１１１は、上記動作モード切換レバー１１２Ｂが上記ポジション３にあるときに、このカムコーダ１００をカメラモードに設定する。カメラモードにおいて、上記制御部１１１は、上記撮像部１を作動させて、撮像信号による画像を上記表示部１０６すなわち電子ビューファインダ１０６Ａ又は液晶表示パネル１０６Ｂに表示させる。そして、この撮像スタンバイ状態でスタート／ストップボタン１１２Ｇの操作入力を受け付けると、上記記録再生部１０５による記録を開始し、再び上記スタート／ストップボタン１１２Ｇの操作入力を受け付けると記録を終了して撮像スタンバイ状態に戻る。
【０１０２】
また、上記制御部１１１は、このカメラモードにおいて、上記静止画撮影用操作ボタン１１２Ｃの押圧操作による操作入力データを受け付ける。撮像スタンバイ状態で上記静止画撮影用操作ボタン１１２Ｃの押圧操作による操作入力データを受け付けた場合には、上記静止画撮影用操作ボタン１１２Ｃの１段階目の押圧ポジションにおいて、上記撮像部１により得られた撮像信号を静止画としてキャプチャし、上記表示部１０６に表示し、さらに、上記静止画撮影用操作ボタン１１２Ｃの２段階目の押圧ポジションまで押圧されたときに、上記キャプチャした静止画を上記記録再生部１０５により所定時間（この例では７秒間）記録する。なお、記録中の音声も上記記録再生部１０５により記録される。また、上記静止画撮影用操作ボタン１１２Ｃを２段階目の押圧ポジションまで押圧せずに、押圧を解除すれば、上記記録再生部１５により記録する静止画を選び直すことができる。さらに、カメラ録画中に上記静止画撮影用操作ボタン１１２Ｃが押圧操作された場合には、上記制御部１１１は、その時の画像を静止画として上記記録再生部５により所定時間（この例では７秒間）記録し、記録終了後に撮像スタンバイ状態に戻る。
【０１０３】
また、上記制御部１１１は、上記動作モード切換レバー１１２Ｂが上記ポジション４にあるときに、このカムコーダ１００をメモリモードに設定する。
【０１０４】
上記制御部１１１は、このメモリモードにおいて、上記撮像部１０１の動作モードを全画素読み出しモードに強制的に切り換える。そして、上記制御部１１１は、このメモリモードにおいて、上記静止画撮影用操作ボタン１１２Ｃの押圧操作による操作入力データを受け付けると、上記静止画撮影用操作ボタン１１２Ｃの１段階目の押圧ポジションにおいて、上記撮像部１０１によりプログレススキャン信号として得られた撮像信号をキャプチャし、上記表示部１０６に表示し、さらに、上記静止画撮影用操作ボタン１１２Ｃの２段階目の押圧ポジションまで押圧されたときに、上記キャプチャした静止画を上記メモリカード１０に記録する。なお、上記静止画撮影用操作ボタン１１２Ｃを２段階目の押圧ポジションまで押圧せずに、押圧を解除すれば、上記メモリカード１１０に記録する静止画を選び直すことができる。
【０１０５】
なお、上記撮像部１によりプログレススキャン信号として得られる撮像信号は、インターレース信号に対応する表示部６では直接表示することができないので、プログレススキャン信号からインターレース信号に変換して上記表示部６で表示するようになっている。また、このカムコーダ１００では、上記カメラモードにおいて、上記撮像部１０１の動作モードを全画素読み出しモードに切り換えて撮像動作を行い、上記撮像部１０１によりプログレススキャン信号として得られる撮像信号をインターレース信号に変換して、上記記録再生部１０５により記録することができるようになっている。
【０１０６】
また、上記カメラモードにおける全画素読み出しモードの設定は、上記カメラ本体１００Ａに配設されているメニューボタン１１２Ｅを撮影スタンバイ状態で押すことにより、メニュー画面を表示部６に出し、コントロールダイヤル１２Ｄを回して、図１５（Ａ），（Ｂ）に示すようにプログレッシブを「切」の状態から「入」の状態に切り換えることにより実行することができる。
【図面の簡単な説明】
【０１０７】
【図１】本発明を適用したカムコーダの概略的な構成を示すブロック図である。
【図２】ＤＶ圧縮にてＦＤに記録するカムコーダの概略的な構成を示すブロック図である。
【図３】記録トラックのパターンの構成を示す図である。
【図４】記録トラックのビデオエリアのデータ構成を示す図である。
【図５】記録再生方法の一連の工程を示すフローチャートである。
【図６】表示装置のメニュー画面を示す図である。
【図７】ＮＧ表示がされたメニュー画面を示す図である。
【図８】本発明を適用したカムコーダの構成を示すブロック図である。
【図９】上記カムコーダの撮像部の概略構成を示すブロック図である。
【図１０】上記撮像部のＣＣＤイメージセンサの構造を模式的に示す平面図である。
【図１１】上記ＣＣＤイメージセンサの全画素読み出しモードでの動作を示すタイムチャートである。
【図１２】上記ＣＣＤイメージセンサのインターレース読み出しモードでの動作を示すタイムチャートである。
【図１３】上記カムコーダの外観斜視図である。
【図１４】上記カムコーダに設けられた動作モード切換レバーの各切換ポジションを示す図である。
【図１５】上記カムコーダのカメラモードにおける全画素読み出しモードの設定について説明するための図である。
【符号の説明】
【０１０８】
４  ＤＶ記録再生信号処理回路、５  記録媒体、７  表示装置、１１  ＰＣＭＣＩＡ Ｉ／Ｏ／ＡＴＡ Ｉ／Ｆ処理回路、１４  ＦＤドライブ制御装置、１５  ＦＤドライブ装置、１０１  撮像部、１０３  Ｉ／Ｆ処理・画像ＭＩＸ回路、１０４  ＤＶ記録再生信号処理回路、１０５  記録再生部、１０６  表示部、１０７  圧縮伸張処理回路、１０８  ＰＣＭＣＩＡ Ｉ／Ｏ／ＡＴＡ Ｉ／Ｆ処理回路、１０９  ＰＣＭＣＩＡコネクタ、１１０  ＰＣＭＣＩＡメモリカード、１１１  制御部、１１２  操作ブロック
【図１】
0004453723.tif 000007
【図２】
0004453723.tif 000008
【図３】
0004453723.tif 000009
【図４】
0004453723.tif 000010
【図５】
0004453723.tif 000011
【図６】
0004453723.tif 000012
【図７】
0004453723.tif 000013
【図８】
0004453723.tif 000014
【図９】
0004453723.tif 000015
【図１０】
0004453723.tif 000016
【図１１】
0004453723.tif 000017
【図１２】
0004453723.tif 000018
【図１３】
0004453723.tif 000019
【図１４】
0004453723.tif 000020
【図１５】
0004453723.tif 000021